(57)【要約】      （修正有）【課題】投影光学系鏡筒内のコンタミ物質の分圧を低減することによって光学素子へのコンタミ物質の付着をできるだけ少なくし、光学特性の劣化を抑え、オーバホールまでの寿命を長くした露光装置を提供する。【解決手段】紫外光を用いて、マスクに形成されたパターンを感応基板上に露光転写するための複数の反射鏡を有する投影光学系を備えた露光装置であって、投影光学系鏡筒内にコンタミ物質の分圧を低減する手段として、マイクロ波照射器１１１、レーザ光源、紫外線ランプ、放電洗浄用光源、水分又は酸素吸着剤、ガス溜め込み式吸着板、ガス溜め込み式真空ポンプ、ゲッタ材、潮解性物質のいずれかを備える。【選択図】図１
2006245254.tif 000002
【特許請求の範囲】
【請求項１】
紫外光を用いて、マスクに形成されたパターンを感応基板上に露光転写するための複数の反射鏡を有する投影光学系を備えた露光装置であって、
投影光学系鏡筒内にコンタミ物質の分圧を低減する手段を備えたことを特徴とする露光装置。
【請求項２】
請求項１に記載の露光装置であって、前記コンタミ物質の分圧を低減する手段が、マイクロ波照射器であることを特徴とする露光装置。
【請求項３】
請求項１に記載の露光装置であって、前記コンタミ物質の分圧を低減する手段が、レーザ照射器であることを特徴とする露光装置。
【請求項４】
請求項１に記載の露光装置であって、前記コンタミ物質の分圧を低減する手段が、紫外光照射器であることを特徴とする露光装置。
【請求項５】
請求項４に記載の露光装置であって、前記紫外光照射器をマスクの裏面に設置し、非露光時に、マスクを光路空間外に移動させて、紫外線光を照射することを特徴とする露光装置。
【請求項６】
請求項４に記載の露光装置であって、前記複数の反射鏡の少なくとも１つに、前記紫外光照射器を備えることを特徴とする露光装置。
【請求項７】
請求項４に記載の露光装置であって、前記複数の反射鏡の少なくとも１つの少なくとも一部を囲む構造を備えることを特徴とする露光装置。
【請求項８】
請求項２から７のいずれか一項に記載の露光装置であって、照射光の立体角を変更するための機器をさらに備えることを特徴とする露光装置。
【請求項９】
請求項１に記載の露光装置であって、前記コンタミ物質の分圧を低減する手段が、放電洗浄器であることを特徴とする露光装置。
【請求項１０】
請求項９に記載の露光装置であって、放電洗浄を行う際に、前記複数の反射鏡の少なくとも１つの少なくとも一部を囲む構造を備えることを特徴とする露光装置。
【請求項１１】
請求項１に記載の露光装置であって、前記コンタミ物質の分圧を低減する手段が、酸素吸着剤または水分吸着剤を含むことを特徴とする露光装置。
【請求項１２】
請求項１に記載の露光装置であって、前記コンタミ物質の分圧を低減する手段が、ガス溜め込み式吸着板を含むことを特徴とする露光装置。
【請求項１３】
請求項１に記載の露光装置であって、前記コンタミ物質の分圧を低減する手段が、ガス溜め込み式真空ポンプを含むことを特徴とする露光装置。
【請求項１４】
請求項１に記載の露光装置であって、前記コンタミ物質の分圧を低減する手段が、ゲッタ材を含むことを特徴とする露光装置。
【請求項１５】
請求項１に記載の露光装置であって、前記コンタミ物質の分圧を低減する手段が、潮解性物質を含むことを特徴とする露光装置。
【請求項１６】
請求項１１から１５のいずれか一項に記載の露光装置であって、前記コンタミ物質の分圧を低減する手段が、露光光路に沿って、または露光光束の直近を取り囲むように設置されていることを特徴とする露光装置。
【請求項１７】
請求項１に記載の露光装置であって、前記コンタミ物質の分圧を低減する手段が、可動式であり、露光時に露光光路空間の外側に配置され、コンタミ物質を低減する際に露光光路空間の内側に配置されることを特徴とする露光装置。
【請求項１８】
請求項１に記載の露光装置であって、前記コンタミ物質の分圧を低減する手段が、請求項２乃至１７のコンタミ物質の分圧を低減する手段する手段を組み合わせたものであることを特徴とする露光装置。
【請求項１９】
請求項１から１８のいずれか一項に記載の露光装置を使用して、マスクに形成された露光パターンをウエハ等の感応基板上に露光転写することを特徴とする露光方法
【請求項２０】
請求項１９に記載の露光方法を用いて、マスクに形成されたパターンを感応基板に露光転写する工程を有することを特徴とする微細パターンを有するデバイスの製造方法。
【発明の詳細な説明】
【技術分野】
【０００１】
本発明は、紫外線を露光光源として用いる、露光装置、露光方法及びこれらを使用した微細パターンを有するデバイスの製造方法に関するものである。特に、極端紫外線または軟X線（本明細書及び特許請求の範囲においては、波長が150nm以下の光を意味し、「ＥＵＶ（Extreme Ultraviolet）光」と言うことがある）を露光光源として用いる、露光装置、露光方法及びこれらを使用した微細パターンを有するデバイスの製造方法に関するものである。
【背景技術】
【０００２】
半導体素子又は液晶表示素子等をフォトリソグラフィ工程で製造する際に、マスク(本明細書および特許請求の範囲においてはレチクルを含む)に形成されたパターン像を、投影光学系を介して感光材（レジスト）が塗布されたウエハ上の各投影（ショット）領域に縮小して投影する縮小投影露光装置が使用されている。半導体素子、液晶表示素子等の回路は、上記投影露光装置でウエハやガラス上に回路パターンを露光することにより転写され、後処理によって形成される。
【０００３】
近年、集積回路の高密度集積化、すなわち、回路パターンの微細化が進められてきた。これに対応するため、投影露光装置における投影光も短波長化される傾向にある。すなわち、これまで主流だった水銀ランプの輝線に代わって、KrFエキシマレーザ（248 nm）が用いられるようになり、さらに短波長のArFエキシマレーザ（193 nm）を用いた投影露光装置が実用化されている。また、更なる高密度集積化をめざしてＦ２レーザ（157 nm）を使用する露光装置や液浸機構を有する光露光機の開発も進められている。
【０００４】
さらに、光の回折限界によって制限される光学系の解像力を向上させるために、従来の紫外線に代えてこれより短い波長（11乃至14 nm）のＥＵＶ光を使用した投影リソグラフィが開発されている（例えば、D.Tichenor, et al. SPIE 2437 (1995) 292）。この技術は、ＥＵＶリソグラフィと呼ばれており、従来の光リソグラフィでは実現不可能な45nm以下の解像力を得られる技術として期待されている。
【０００５】
このような、ＥＵＶ光を使用した露光装置の投影光学系の概要を図１７に示す。光源３１から放出されたＥＵＶ光は、コリメータミラーとして作用する凹面反射鏡３４を介してほぼ平行光束となり、一対のフライアイミラー３５ａおよび３５ｂからなるオプティカルインテグレータ３５に入射する。一対のフライアイミラー３５ａおよび３５ｂとして、たとえば特許文献１に開示されたフライアイミラーを用いることができる。なお、フライアイミラーのさらに詳細な構成および作用については、特許文献１に詳しく説明されており、かつ本発明と直接の関係がないので、その説明を省略する。
【０００６】
こうして、フライアイミラー３５ｂの反射面の近傍、すなわちオプティカルインテグレータ３５の射出面の近傍には、所定の形状を有する実質的な面光源が形成される。実質的な面光源からの光は平面反射鏡３６により偏向された後、マスクＭ上に細長い円弧状の照明領域を形成する。ここで、円弧状の照明領域を形成するための開口板は、図示していない。マスクＭの表面で反射された光は、その後、投影光学系３７のミラーＭ１、Ｍ２、Ｍ３、Ｍ４、Ｍ５、Ｍ６で順に反射されて、露光光１として、マスクＭの表面に形成されたパターンの像を、ウエハ２上に塗布されたレジスト３上に形成する。ここで、ミラー（反射鏡）は、屈折率の異なる２種類の物質を積層した多層膜から構成される。また、レジスト３を塗布したウエハ２を感応基板とも呼ぶ。
【０００７】
一般に、ＥＵＶ光はあらゆる物質で吸光されるので空気中を透過しない。このため、ＥＵＶ光を用いた露光装置では、露光光１をウエハ面上に十分な照度で到達させるためには、露光光路上の吸光物質を低減もしくは排除し、光路空間を高真空に保つ必要がある。このためには、放出ガスが極力少ない物質を用いて露光装置光路空間を構成する必要がある。投影光学系３７を含む露光装置光路空間は、図１７に図示しない真空チャンバに収納してもよい。このように、ＥＵＶ光を用いた露光装置では、より微細な遮光パターンの転写が可能な一方で、吸光物質を排除する必要がある（吸光物質の放出する部材の利用が限られる）など設計が容易でない。
【０００８】
【特許文献１】特開平１１-３１２６３８号公報
【発明の開示】
【発明が解決しようとする課題】
【０００９】
一般に、真空装置を構成する部材の表面には、数層から数百層といわれる大量のＨ２Ｏ分子が吸着している。これらのＨ２Ｏ分子は、その極性の故におもに水素結合で物質表面に吸着する。この水分子は、光路空間内でミラー表面に付着（吸着および堆積）し、露光光もしくは光電子との反応（光化学反応）によって、ミラーの多層膜表層物質を酸化させて酸化膜を形成し、ミラー反射率低下の原因となる。このように、ミラーなどの光学素子の表面に付着（吸着および堆積）して反射率などの光学特性を劣化させる物質をコンタミ物質と呼ぶ。
【００１０】
ミラーの表面に1nmの酸化膜が積層されるとミラーの反射率が約２乃至３％低下する。また、ミラー表面の酸化膜によって収差が発生し、照度ムラの原因となるなど反射率以外の光学特性も劣化する。さらに、光学素子のメンテナンスに起因する露光装置のスループットの低下による生産性の低下といった問題も生じる。
【００１１】
その一方で、従来型光露光装置と異なり、極端紫外光を用いた露光装置では光路空間にガスが充填されていないので、気流制御による放出ガス排除が容易でない。したがって、これらコンタミ物質の光路空間中におけるコンタミ物質分圧の低減が必要となる。
【００１２】
水分子の脱離（による真空度の悪化）を低減する手段として、一般的にはベーキングが行われる。ベーキングは、装置を高温にして水分子の脱離を促す方法である。しかし、図１７に示す露光装置の投影光学系にベーキングを行うと、加熱による熱膨張、特に異質の材料での熱膨張率の相違に起因する位置ズレが原因となって、ミラーの位置が変化して光学性能が劣化する。この光学性能の劣化はＥＵＶ光を用いた露光装置では許容できないもので、ベーキングは適用できない。したがって、ＥＵＶ光を用いた露光装置では、光路空間中の水分を低減するのは容易ではない。このため、ミラーの多層膜表面への水分付着に起因する酸化による反射率劣化を低減するのは容易でない。
【００１３】
以上、コンタミ物質としての水分について説明した。しかし、コンタミ物質は、水分だけではない。
【００１４】
半導体回路などのパターンの露光転写では、ウエハ面上にレジストと呼ばれる感光剤を塗布する必要がある。従来型光露光装置でも問題が顕在化しているように、露光中にレジストから大量に放出される物質は吸光の大きな物質であり、ミラーなどの光学素子表面に吸着して、光学性能を著しく劣化させる。
【００１５】
レジストは感光剤、溶剤、酸発生剤などから構成され、いずれも有機物をその主成分とする。さらに、このレジストに高強度の露光光が照射されることによって分解されてより低分子の物質となり、その成分は上方すなわち露光空間に放出される。
【００１６】
特に、ＥＵＶ光を用いた露光装置では、露光光のエネルギーが高いので、容易にレジスト物質(たとえば、レジスト中に含まれる溶剤物質)を断鎖し、比較的分子数の小さい、すなわち蒸気圧の高い物質がレジスト内に生成される。この物質はレジスト内の熱拡散によってレジスト表面に到達し、やがて蒸発に似たプロセスで露光光路空間にガスとして放出される。投影光学系内の光学素子（反射鏡）とレジストとの間に遮るものが無く、かつこの空間は高真空に保たれているので、この放出ガスのうち、ある立体角内に放出されたものは遮られることなく投影光学系内の反射鏡表面に付着して汚染を生じる。ある立体角外に放出されたガスであっても、いったん鏡筒内壁に付着した後に脱離するなどして、ミラー表面に付着するものもある。
【００１７】
すなわち、レジスト３からの放出ガスは、図１７における投影光学系３７に放出され、投影光学系のチャンバ内に入り、コンタミ物質としてミラー面に付着する。付着したコンタミ物質は、露光光もしくは光電子との光化学反応によって、緻密な炭素（Ｃ）膜を形成し、吸光（ミラーの反射率の低下）の原因となる。また、コンタミ物質の付着が不均一であれば、照度ムラの原因ともなり得る。なお、ここでいうコンタミ物質とは、メタン、エタン、プロパン、ブタンなどの炭化水素、イソプロピルアルコール、ポリメチルメタクリレートなどの直鎖有機物、ベンゼン環を有するフタル酸エステルなどの環状有機物、シラン、シロキサンなどのＳｉ含有有機物、などを指す。
【００１８】
レジストから放出されるガスの様子を図１８により説明する。図１８は、図１７に示すＥＵＶ光露光装置の、ウエハ近傍の構成を示す概要図である。図示していない部分の構成は、図１７に示したＥＵＶ光露光装置と同じである。
ＥＵＶ光は、ミラーＭ５、Ｍ６で反射され、図示しないマスクに形成されたパターンの像を、ウエハ２に塗布されたレジスト３上に形成する。ＥＵＶ光は、ほとんど全ての物質で吸光されるので、露光空間は、たとえば１０−５Ｐａといった高真空度に保たれている。露光光は、レジスト３上に照射されるが、このとき、レジスト３から大量のレジスト放出ガス４が放出される。
【００１９】
このレジスト放出ガスのうち、ある立体角内に放出されたものは遮られることなくミラーＭ６の表面に付着する。ある立体角外に放出されたガスであっても、いったん鏡筒内壁に付着した後に脱離するなどして、ミラーＭ５やＭ６の表面に付着するものもある。付着したガスの成分は、露光光又は光電子との光化学反応により緻密なＣ膜に変化する。
【００２０】
このＣ膜の厚みは露光時間が増大するとともに増大し、増大とともにミラー多層膜 (Ｓｉ／Ｍｏ多層膜)の反射率が低下する(ミラー表面に1nmのカーボン層が堆積すると反射率が約１％低下する)ので、収差が発生し、照度ムラが発生するなど光学特性劣化をもたらす。さらに、反射率低下はスループットの低下となり、露光装置の生産性を著しくおとしめる。反射率低下量の目標は、１％／面程度であり、このためには、これらコンタミ物質の光路空間中分圧の低減が必要となる。
【００２１】
ＥＵＶ光露光装置では、従来型露光装置と異なり、光路空間にガスが充填されていないので、気流制御による放出ガス排除が容易でない。このために、コンタミ物質の光路空間中分圧の低減が必要となる。
【００２２】
本発明はこのような事情に鑑みてなされたもので、投影光学系鏡筒内のコンタミ物質の分圧を低減することによって反射鏡へのコンタミ物質の付着をできるだけ少なくし、反射鏡の光学特性の劣化を抑え、オーバホールまでの寿命を長くした露光装置、露光方法、およびこの露光方法を使用した微細パターンを有するデバイスの製造方法を提供することを課題とする。
【課題を解決するための手段】
【００２３】
前記課題を解決するための第１の手段は、紫外光を用いて、マスクに形成されたパターンを感応基板上に露光転写するための複数の反射鏡を有する投影光学系を備えた露光装置であって、投影光学系鏡筒内にコンタミ物質の分圧を低減する手段を備えたことを特徴とする露光装置である。
【００２４】
本手段によれば、投影光学系鏡筒内のコンタミ物質の分圧を低減することによって、投影光学系鏡筒内の反射鏡へのコンタミ物質の付着をできるだけ少なくし、反射鏡の光学特性の劣化を抑え、露光装置のオーバホールまでの寿命を長くすることができる。
【００２５】
前記課題を解決するための第２の手段は、第１の手段であって、前記コンタミ物質の分圧を低減する手段が、マイクロ波照射器であることを特徴とする。
【００２６】
マイクロ波を露光装置光路空間構成部材表面に照射すると、表面に吸着している水分子はマイクロ波を吸収して励起され、吸着している表面から脱離しやすくなる。本手段によれば、非露光時に、露光装置光路空間構成部材表面にマイクロ波を照射することで、コンタミ物質（おもに水分子）を励起し、脱離を促進する。さらに、露光前に、通常の露光装置の排気機構によって光路空間内から排除しておく。
【００２７】
前記課題を解決するための第３の手段は、第１の手段であって、前記コンタミ物質の分圧を低減する手段が、レーザ照射器であることを特徴とする。
【００２８】
本手段によれば、非露光時に、レーザ照射器によって露光装置光路空間構成部材表面にレーザ光を照射することで、露光装置光路空間構成部材表面に吸着しているコンタミ物質を励起（断鎖）して、その脱離を促進する。さらに、露光前に、図示しない通常の露光装置の排気機構によって光路空間内から排除しておく。
【００２９】
前記課題を解決するための第４の手段は、第１の手段であって、前記コンタミ物質の分圧を低減する手段が、紫外光照射器であることを特徴とする。
【００３０】
本手段によれば、非露光時に、紫外光照射器によって露光装置光路空間構成部材表面に紫外線を照射することで、表面に吸着しているコンタミ物質を励起・断鎖して、その脱離を促進する。さらに、露光前に、図示しない通常の露光装置の排気機構によって光路空間内から排除しておく。
【００３１】
前記課題を解決するための第５の手段は、第４の手段であって、前記紫外光照射器をマスクの裏面に設置し、非露光時に、マスクを光路空間外に移動させて、紫外光を照射することを特徴とする。
【００３２】
本手段によれば、紫外光照射器をマスクの裏面に設置するので、投影光学系を使用して、各ミラーを照射することができる。
【００３３】
前記課題を解決するための第６の手段は、第４の手段であって、前記複数の反射鏡の少なくとも１つに、前記紫外光照射器を備えることを特徴とする。
【００３４】
本手段によれば、反射鏡ごとに最適な洗浄を行うことができる。
【００３５】
前記課題を解決するための第７の手段は、第４の手段であって、前記複数の反射鏡の少なくとも１つの少なくとも一部を囲む構造を備えることを特徴とする。
【００３６】
本手段によれば、囲む構造の内部で酸素ガスによる洗浄を行うことにより、高速洗浄を行うことができる。
【００３７】
前記課題を解決するための第８の手段は、第２から第７のいずれかの手段であって、照射光の立体角を変更するための機器をさらに備えることを特徴とする。
【００３８】
本手段によれば、必要に応じて、照射光の照射エリアを広くしたり、狭くしたりすることができる。
【００３９】
前記課題を解決するための第９の手段は、第１の手段であって、前記コンタミ物質の分圧を低減する手段が、放電洗浄器であることを特徴とする。
【００４０】
本手段によれば、非露光時に、放電洗浄用の電極に電圧を印加することで、部材表面に吸着したコンタミ物質を積極的に排除することができ、ベーキングと同様の効果が得られる。これによって、回路パターンの転写前に光路空間内のコンタミ物質量を低減することができる。
【００４１】
前記課題を解決するための第１０の手段は、第９の手段であって、放電洗浄を行う際に、前記複数の反射鏡の少なくとも１つの少なくとも一部を囲む構造を備えることを特徴とする。
【００４２】
本手段によれば、放電洗浄によって、反射鏡の多層膜表面を悪化させることなく、所望の洗浄が実現できる。
【００４３】
前記課題を解決するための第１１の手段は、第１の手段であって、前記コンタミ物質の分圧を低減する手段が、酸素吸着剤または水分吸着剤を含むことを特徴とする。
【００４４】
本手段によれば、水分吸着剤の水分（Ｈ２Ｏ）吸着作用または酸素吸着剤の酸素吸着作用を利用して、光路空間内のコンタミ物質（特にＨ２Ｏ）の分圧を低減することができる。
【００４５】
前記課題を解決するための第１２の手段は、第１の手段であって、前記コンタミ物質の分圧を低減する手段が、ガス溜め込み式吸着板を含むことを特徴とする。
【００４６】
本手段によれば、ガス溜め込み式吸着板の吸着作用を利用して、光路空間内のコンタミ物質の分圧を低減することができる。
【００４７】
前記課題を解決するための第１３の手段は、第１の手段であって、前記コンタミ物質の分圧を低減する手段が、ガス溜め込み式真空ポンプを含むことを特徴とする。
【００４８】
本手段によれば、ガス溜め込み式真空ポンプの吸着作用を利用して、光路空間内のコンタミ物質の分圧を低減することができる。
【００４９】
前記課題を解決するための第１４の手段は、第１の手段であって、前記コンタミ物質の分圧を低減する手段が、ゲッタ材を含むことを特徴とする。
【００５０】
本手段によれば、表面に吸着した物質をゲッタ材内部に取り込むゲッタ材の性質を利用して、光路空間内のコンタミ物質分圧を低減することができる。
【００５１】
前記課題を解決するための第１５の手段は、第１の手段であって、前記コンタミ物質の分圧を低減する手段が、潮解性物質を含むことを特徴とする。
【００５２】
本手段によれば、潮解性物質の、水分を吸収する性質を利用して光路空間内のコンタミ物質（特に水分）の分圧を低減することができる。
【００５３】
前記課題を解決するための第１６の手段は、第１１から第１５のいずれの手段であって、前記コンタミ物質の分圧を低減する手段が、露光光路に沿って、または露光光束の直近を取り囲むように設置されていることを特徴とする。
【００５４】
本手段によれば、より効率よく光路空間内のコンタミ物質分圧を低減することができる。
【００５５】
前記課題を解決するための第１７の手段は、前記コンタミ物質の分圧を低減する手段が、可動式であり、露光時に露光光路空間の外側に配置され、コンタミ物質を低減する際に露光光路空間の内側に配置されることを特徴とする。
【００５６】
本手段によれば、コンタミ物質の分圧を低減する手段が、露光時に露光光の妨げとなることはない。
【００５７】
前記課題を解決するための第１８の手段は、第１の手段であって、前記コンタミ物質の分圧を低減する手段が、第２から第１７の手段のコンタミ物質の分圧を低減する手段する手段を組み合わせたものであることを特徴とする。
【００５８】
本手段によれば、コンタミ物質の分圧を低減する、複数の手段を組み合わせているので、コンタミ物質の分圧を低減する効果が大きい。
【００５９】
前記課題を解決するための第１９の手段は、第１から第１８のいずれかの手段を使用して、マスクに形成された露光パターンをウエハ等の感応基板上に露光転写することを特徴とする露光方法である。
【００６０】
本手段によれば、反射鏡の光学特性の劣化を抑え、また、メンテナンスの周期を長くすることにより露光装置を長期間にわたって連続運転することができる。
【００６１】
前記課題を解決するための第２０の手段は、第１９の手段を用いて、マスクに形成されたパターンを感応基板に露光転写する工程を有することを特徴とする微細パターンを有するデバイスの製造方法である。
【００６２】
本手段によれば、反射鏡の光学特性の劣化を抑え、また、メンテナンスの周期を長くすることにより露光装置を長期間にわたって連続運転することが可能となるので、微細パターンを有するデバイスをスループットよく製造することができる。
【発明の効果】
【００６３】
本発明によれば、投影光学系内のコンタミ物質の分圧を低減することにより、投影光学系の反射鏡へのコンタミ物質の付着（吸着および堆積）をできるだけ少なくして、反射鏡の光学特性の劣化を抑えて、オーバホールまでの寿命を長くしたＥＵＶ光露光装置、露光方法、およびこの露光方法を使用した微細パターンを有するデバイスの製造方法を提供することができる。
【発明を実施するための最良の形態】
【００６４】
以下、本発明の実施形態について説明する。図１は、本発明の第１の実施形態による露光装置の投影光学系内の構造を示す概要図である。第１の実施形態による露光装置が図１７に示した標準的なＥＵＶ光露光装置と異なるのは、チャンバ（投影光学系）内部にマイクロ波を照射するマイクロ波照射機構（マイクロ波照射器）１１１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００６５】
マイクロ波は、波長が1mm（周波数300GHz）〜1m(周波数300MHz)程度の電磁波で、Ｈ２Ｏ分子などによく吸収されることは広く知られている。マイクロ波を露光装置光路空間構成部材表面１０１に照射すると、表面１０１に吸着している水分子はマイクロ波を吸収して励起され、吸着している表面１０１から脱離しやすくなる。本実施形態においては、マイクロ波を露光装置光路空間構成部材表面１０１に照射することで、コンタミ物質（おもに水分子）を励起し、脱離を促進する。
【００６６】
マイクロ波照射機構１１１としては、マグネトロンやクライストロンなどのマイクロ波電子管（真空管）またはガンダイオードやマイクロ波トランジスタなどを用い、導波管１１３などで光路空間内に導く。
【００６７】
回路パターンを露光していないとき（非露光時）に、マイクロ波を露光装置光路空間構成部材表面に照射することで、露光装置光路空間構成部材表面に吸着しているコンタミ物質（特にＨ２Ｏ）の脱離を促進する。さらに、回路パターンを露光する前に、図示しない通常の露光装置の排気機構によって光路空間内から排除しておく。これによって、回路パターンの露光時における光路空間内のコンタミ物質分圧を低減することが可能となり、ミラー等の光学素子に吸着するコンタミ物質を低減することができる。
【００６８】
なお、マイクロ波は、露光光と同軸であってもよいし、別軸であってもよい。以下の照射装置についても同様である。
【００６９】
図２は、本発明の第２の実施形態による露光装置の投影光学系内の構造を示す概要図である。第２の実施形態による露光装置が図１７に示した標準的なＥＵＶ光露光装置と異なるのは、チャンバ（投影光学系）内部にレーザ光を照射するレーザ光源（レーザ照射器）１２１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００７０】
回路パターンを露光していないとき（非露光時）に、レーザ光源１２１から露光装置光路空間構成部材表面１０１にレーザ光を照射することで、露光装置光路空間構成部材表面１０１に吸着しているコンタミ物質を励起（断鎖）して、その脱離を促進する。さらに、回路パターンを露光する前に、図示しない通常の露光装置の排気機構によって光路空間内から排除しておく。これによって、回路パターンの転写前に光路空間内のコンタミ物質量を低減することができる。
【００７１】
ここで用いるレーザ光源としては、ＡｒＦレーザやＦ２レーザのようなエキシマレーザやＹＡＧレーザやＡｒレーザの高調波のように、高出力で、真空紫外波長もしくはそれに近い短い波長の光を発するレーザ光源が好ましい。これによって、部材表面に吸着した水分の脱離速度が向上し、光路空間内のコンタミ物質の分圧がより低減できる。
【００７２】
レーザ光は指向性が高い、すなわち照射エリアが狭い。したがって、光路空間構成部材表面の広範囲の洗浄を行うには、照射エリアを広くとるような光学系（レンズや回折光学素子など）１２３を組んでおくか、ラスター走査を行うのが好ましい。図２に示すように、光学系１２３を可動式として、選択的に照射エリアを広くするように構成してもよい。また、拡散板や散乱板などを用いて、より広範囲に照射できるようにしておくとより広い範囲の洗浄が可能となる。一方で、コンタミ物質が集中的に存在する空間がある場合は、逆にレーザの高い指向性を利用してコンタミガスが集中的に存在する空間のみに照射することが可能である。また、必要に応じてレンズや回折光学素子などの光学系を付設し、エネルギー空間密度をさらに高めるなどの工夫があってもよい。
【００７３】
図３は、本発明の第３の実施形態による露光装置の投影光学系内の構造を示す概要図である。第３の実施形態による露光装置が図１７に示した標準的なＥＵＶ光露光装置と異なるのは、チャンバ（投影光学系）内部に紫外線を照射する紫外線ランプ（紫外光照射器）１３１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００７４】
本実施形態においては、非露光時に、紫外線（ＵＶ）ランプ１３１から露光装置光路空間構成部材表面１０１に紫外線を照射することで、表面に吸着しているコンタミ物質を励起・断鎖して、その脱離を促進する。さらに、部材表面から脱離させたコンタミ物質を図示しない排気機構によって光路空間内からあらかじめ排除しておく。これによって、回路パターンの転写前に光路空間内のコンタミ物質量を低減することができる。ＵＶランプは一般に発散角が大きい。このため、ＵＶランプの大きな発散角を利用して広範囲を一括で照射して洗浄する。狭い範囲に集中的に照射する場合には、照射エリアを狭くするような光学系（レンズや回折光学素子など）１３２を組んでおくのが好ましい。図３に示すように、光学系１３２を可動式として、選択的に照射エリアを狭くするように構成してもよい。
【００７５】
図４は、本発明の第３の実施形態の第１変形例による露光装置の投影光学系内の構造を示す概要図である。コンタミガスが集中的に存在する空間があるような場合は、図４に示したようなライトガイド１３３を設置して集中的にＵＶランプ光が照射されるようにすると効率がよい。ライトガイド１３３の材質は、たとえばアルミニウムである。ライトガイドは必ずしも図４のようなものである必要はなく、回転放物面やレンズによる光学系であってもよい。
【００７６】
図５は、本発明の第３の実施形態の第２変形例による露光装置の投影光学系内の構造を示す概要図である。本変形例において、ＵＶランプ１３１は、マスクＭの裏面に設置しておく。回路パターンを露光していないとき（非露光時）に、マスクＭを光路空間外に移動させて、紫外光を照射する。ＵＶランプ１３１をマスクの裏面に設置するので、投影光学系を使用して、各ミラーを照射することができる。このとき、図５に図示しない、露光光のＮＡ（開口数）とＵＶランプ光のＮＡを揃えるための光学系を設けて、当該光学系を介してＵＶランプ光（紫外光）を照射すると、ＵＶランプ光が無駄なく各ミラーに到達するので、より好ましい。
【００７７】
第２変形例においては、ランプ光上流側のミラーと比べると下流側遠方のミラーには照度が低下してしまう。特に、ミラーＭ６は、マスクＭの裏側に設置されたＵＶランプ１３１からの、Ｏ２ガスが充填された光路空間長が長いうえに、有効エリアが広いので照度低下が著しい。ここで、Ｏ２ガスについては、後で説明する。この照度低下のため、本変形例において、紫外線照射によるミラーＭ６の洗浄速度は、ミラーＭ１の洗浄速度よりも著しく小さい。したがって、仮に、ミラーＭ１とミラーＭ６において、同じようにカーボンが付着している場合には、ミラーＭ１は十分洗浄されていても、ミラーＭ６の洗浄が不十分なため、紫外線照射によって洗浄し続ける必要がある。この場合に、過剰な洗浄によってミラーＭ１が酸化される恐れもある。また、一般に、ＵＶランプ１３１からの、光路空間長が同じであるとしても、有効エリアが各ミラーで異なるため、照度は各ミラーで異なり、やはり紫外線照射による洗浄速度が異なる。
【００７８】
そこで、各ミラーに最適な洗浄を行うために、各ミラーにＵＶランプを設置し、洗浄を行うとよりよい。
【００７９】
図６は、本発明の第３の実施形態の第３変形例による露光装置の投影光学系内の構造を示す概要図である。ＵＶランプ１３１１又はＵＶランプ光を反射して各ミラーに到達させるための反射鏡は、各ミラーの有効エリア中心の法線上近辺と露光光空間外の間を行き来できる可動式とし、洗浄のときのみ有効エリア中心の法線方向に設置できるような構成とする。本実施形態によれば、露光時に露光光の妨げとなることなく高い洗浄効率が得られるので好ましい。
【００８０】
図７は、本発明の第３の実施形態の第４変形例による露光装置の投影光学系内の構造を示す概要図である。ミラーＭ６を取り囲む機構１３１５を構成する壁の内部にＵＶランプ１３１３を設置するように構成してもよい。本実施形態によれば、ＵＶランプ１３１３を、ミラーＭ６を取り囲む機構１３１５を構成する壁の内部に固定しているので、可動式とするための、複雑な駆動機構は不要である。ミラーを取り囲む機構については、後で説明する。
【００８１】
いずれの場合も、個々のミラーのカーボン膜厚を監視しつつ、カーボン膜厚が許容値を超えたときに、いったん回路パターンの露光を中止し、Ｏ２ガスを導入してミラーを洗浄するようにすると、全ミラーを常に許容されるカーボン膜厚以下に維持することができる。カーボン膜厚を監視する方法としては、たとえば、紫外線を照射して反射光量を測定し、その反射率からカーボン膜厚を推定するようにしてもよい。
【００８２】
Ｏ２ガスによる高い洗浄速度を実現するには、図７に示したように、反射鏡を局所的に覆うような、反射鏡を取り囲む機構１３１５を設ける。取り囲む機構１３１５の材質は、たとえばセラミックやステンレスなどである。一部露光光が通過する空間は開口となっており、完全には密閉されていない（半密閉構造）。あるいは、開口部は窓部１３１７であってもよい（密閉構造）。各ミラーを覆う取り囲む機構１３１５内部にＯ２ガス導入用給気口１３１９を設置して局所的にＯ２ガスを注入するようにしてもよい。窓部１３１７を有する密閉構造の場合はＯ２ガス導入用給気口１３１９と同様に取り囲む機構１３１５内部に排気口１３２１を設置する必要がある。排気口１３２１は、Ｏ２ガス導入用給気口１３１９と対向する位置にあるのが好ましい。窓部を有しない半密閉構造の場合は、Ｏ２ガス導入用給気口１３１９から供給されたＯ２ガスは、反射鏡を取り囲む機構１３１５外部（露光光空間）内に漏れ出す。しかし、図示しない排気装置による露光光空間内の排気速度を適切に選べば、投影光学系内Ｏ２ガス分圧は所定の圧力以下となり、問題にならない。
【００８３】
上記開口の窓部の部材として、石英ガラス等の、ＶＵＶ光（真空紫外光、波長は、100nm乃至200nm）透過硝材（ＵＶ＋Ｏ２洗浄の場合に有効）、または薄いＺｒ等の、ＥＵＶ光透過部材（ＥＵＶ＋Ｏ２洗浄の場合に有効）などの部材を使用することができる。露光光（ＥＵＶ光）の透過率、すなわちウエハ面上でのＥＵＶ光照度は低下するが、密閉構造により、洗浄効率が高まるという長所がある。
【００８４】
あるいは、窓に相当する部分を駆動可能な扉とし、露光光による半導体回路の転写時は扉を露光光路空間内に配置せず、非露光時にＯ２ガス洗浄を実施するときにのみ扉を駆動して露光光路空間内に配置すると、露光時のスループットの低下がない一方で、高い洗浄速度が得られるという長所があり、より好ましい。
【００８５】
あるいは、投影光学系全体内にＯ２ガスを導入してもよい。この場合には、反射鏡を取り囲む機構１３１５を設ける場合と比較して洗浄速度は小さくなるが、装置構成はシンプルとなる。
【００８６】
ＵＶランプ光としては、高出力でより波長の短い（より高エネルギー）ものが好ましく、Ｘｅ２ランプ（波長172nm）やＡｒ２ランプのように真空紫外光を発するエキシマランプが好ましいが、低圧水銀ランプであってもよい。
【００８７】
図８は、本発明の第４の実施形態による露光装置の投影光学系内の構造を示す概要図である。第４の実施形態による露光装置が図１７に示した標準的なＥＵＶ光露光装置と異なるのは、チャンバ（投影光学系）内部に放電洗浄用の電極１４１および１４３を有している点である。放電洗浄用の電極１４１および１４３は、放電洗浄器を構成する。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００８８】
回路パターンを露光していないとき（非露光時）に、放電洗浄用の電極１４１および１４３に電圧を印加することで、部材表面に吸着したコンタミ物質を積極的に排除することができ、ベーキングと同様の効果が得られる。これによって、回路パターンの転写前に光路空間内のコンタミ物質量を低減することができる。
【００８９】
図９は、本発明の第４の実施形態の第１変形例による露光装置の投影光学系内の構造を示す概要図である。放電洗浄用の電極１４１および１４３に電圧を印加して放電洗浄を行うと、反射鏡の多層膜表面が改質するなどの悪影響が及ぶ恐れがある。この場合、電圧印加時に多層膜反射鏡を囲う機構１４５を設けることで、反射鏡の多層膜表面を悪化させることなく、所望の洗浄が実現できる。囲う機構１４５は、開閉式に構成し、回路パターンの転写時（露光時）には、開放して露光空間から排除し、洗浄時には閉じるようにしておけば、露光時の障害とはならずに、放電洗浄時に反射鏡を保護することができる。
【００９０】
図１０は、本発明の第５の実施形態による露光装置の投影光学系内の構造を示す概要図である。第５の実施形態による露光装置が図１７に示した標準的なＥＵＶ光露光装置と異なるのは、チャンバ（投影光学系）内部の光路空間近傍に水分（Ｈ２Ｏ）または酸素吸着剤１５１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００９１】
水分（Ｈ２Ｏ）吸着剤としては、シリカゲルのようなものが一例として挙げられる。シリカゲルの水分（Ｈ２Ｏ）吸着作用を利用して、光路空間内のコンタミ物質（特にＨ２Ｏ）の分圧を低減する。また、酸素吸着剤としては、ゼオライトに鉄を加えたものなどがある。
【００９２】
図１１は、本発明の第５の実施形態の第１変形例による露光装置の投影光学系内の構造を示す概要図である。第１変形例においては、投影光学系内において、水分（Ｈ２Ｏ）または酸素吸着剤１５１を光路に沿うように設置している。このようにすれば、より効率よく光路空間内のコンタミ物質を除去することができる。
【００９３】
図１２は、本発明の第６の実施形態による露光装置の投影光学系内の構造を示す概要図である。第６の実施形態による露光装置が図１７に示した標準的なＥＵＶ光露光装置と異なるのは、チャンバ（投影光学系）内部の光路空間近傍にガス溜め込み式吸着板１６１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００９４】
ガス溜め込み式吸着板１６１は、たとえば、クライオパネルである。クライオパネルは、極低温にしたパネルで、ガス分子を極低温の面に凝縮させて捕捉するガス溜め込み式吸着板である。ガス溜め込み式吸着板１６１の吸着作用を利用して、光路空間内のコンタミ物質の分圧を低減する。
【００９５】
図１３は、本発明の第７の実施形態による露光装置の投影光学系内の構造を示す概要図である。第７の実施形態による露光装置が図１７に示した標準的なＥＵＶ光露光装置と異なるのは、チャンバ（投影光学系）内部の光路空間近傍にガス溜め込み式真空ポンプ１７１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００９６】
ガス溜め込み式真空ポンプ１７１は、たとえば、ソープションポンプである。ソープションポンプは、多孔質物質（単位幾何面積あたりのミクロに見た真の表面積の大きな物質、たとえば、ジルコニアなどのセラミックや活性炭など）から成る吸着剤を液体窒素などで冷却したときの物理吸着を利用したポンプである。ガス溜め込み式真空ポンプ１７１の吸着作用を利用して、光路空間内のコンタミ物質の分圧を低減する。
【００９７】
図１４は、本発明の第８の実施形態による露光装置の投影光学系内の構造を示す概要図である。第８の実施形態による露光装置が図１７に示した標準的なＥＵＶ光露光装置と異なるのは、チャンバ（投影光学系）内部の光路空間近傍にゲッタ材１８１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【００９８】
ゲッタ材は、表面に吸着した物質をゲッタ材内部に取り込む性質がある。ゲッタ材は、真空ポンプに利用されている。ゲッタ材の上記の性質を利用して、光路空間内のコンタミ物質分圧を低減する。ゲッタ材は、たとえば、チタン、タンタル、ジルコニウム、バナジウムなどである。
【００９９】
通常、ゲッタ材は電圧を印加して高温にして用いる場合が多い。しかし、本実施形態においてゲッタ材を高温にすると、熱輻射や熱伝導によって周囲の部材が過熱され、これにともなって過熱された部材が熱膨張する可能性がある。反射鏡保持部材が過熱された場合は、反射鏡位置が変化し、結像位置が変動して、収差が発生するなどの問題が起こる可能性がある。したがって、本実施形態においては、コンタミ物質分圧の低減速度がやや低下するが、常温で使用できるゲッタ材を用いるのが好ましい。
【０１００】
図１５は、本発明の第９の実施形態による露光装置の投影光学系内の構造を示す概要図である。第９の実施形態による露光装置が図１７に示した標準的なＥＵＶ光露光装置と異なるのは、チャンバ（投影光学系）内部の光路空間近傍に潮解性物質１９１を有している点である。本実施形態による露光装置は、この点を除いて、図１７に示した従来のＥＵＶ光露光装置の投影光学系と同じである。また、本実施形態による露光装置の図示していない部分の構成は、図１７に示した従来のＥＵＶ光露光装置と同じである。
【０１０１】
潮解性物質は、水分を吸収する性質がある。この性質を利用して光路空間内のコンタミ物質（特に水分）の分圧を低減する。潮解性物質は、たとえばフッ化リチウムなどである。
【０１０２】
一般的に、吸着によってコンタミ物質を低減するための部材は、その表面積が大きいほど光路空間内のコンタミ物質分圧をより速く低減できる。したがって、その表面積をより大きくとれば、コンタミ物質排除速度が上がるので好ましい。
また、吸着によって光路空間中のコンタミ物質分圧を低減する場合には、露光光路に沿って、または露光光束の直近を取り囲むように吸着部材を設置すると、効率よく光路空間内のコンタミ物質分圧を低減できる。
【０１０３】
上記のコンタミ物質の分圧を低減する、複数の手段を組み合わせて使用することもできる。この場合には、コンタミ物質の分圧を低減する、複数の手段を組み合わせているので、コンタミ物質の分圧を低減する効果が大きい。
【０１０４】
以下、本発明に係わる半導体デバイスの製造方法の実施の形態の例を説明する。図１６は、本発明の半導体デバイス製造方法の実施形態の一例を示すフローチャートである。この例の製造工程は以下の各工程を含む。
（１）ウエハを製造するウエハ製造工程(またはウエハを準備するウエハ準備工程)
（２）露光に使用するマスクを製作するマスク製造工程(またはマスクを準備するマスク準備工程)
（３）ウエハに必要な露光処理を行うウエハプロセッシング工程
（４）ウエハ上に形成されたチップを１個ずつ切り出し、動作可能にならしめるチップ組立工程
（５）できたチップを検査するチップ検査工程
なお、それぞれの工程はさらにいくつかのサブ工程からなっている。
【０１０５】
これらの主工程の中で、半導体デバイスの性能に決定的な影響を及ぼす主工程がウエハプロセッシング工程である。この工程では、設計された回路パターンをウエハ上に順次積層し、メモリやＭＰＵとして動作するチップを多数形成する。このウエハプロセッシング工程は、以下の各工程を含む。
（１）絶縁層となる誘電体膜や配線部、あるいは電極部を形成する金属薄膜などを形成する薄膜形成工程（ＣＶＤやスパッタリングなどを用いる）
（２）この薄膜層やウエハ基板を酸化する酸化工程
（３）薄膜層やウエハ基板などを選択的に加工するためにマスク（レクチル）を用いてレジストのパターンを形成するリソグラフィ工程
（４）レジストパターンにしたがって薄膜層や基板を加工するエッチング工程（たとえばドライエッチング技術を用いる）
（５）イオン・不純物注入拡散工程
（６）レジスト剥離工程
（７）さらに加工されたウエハを検査する検査工程
なお、ウエハプロセッシング工程は必要な層数だけ繰り返し行い、設計通り動作する半導体デバイスを製造する。
【０１０６】
本実施形態においては、上記リソグラフィ工程において、上述のＥＵＶ光露光装置を使用している。このため、投影光学系のコンタミ物質の分圧を低減することにより、反射鏡の光学特性の劣化を抑え、また、メンテナンスの周期を長くすることにより露光装置を長期間にわたって連続運転することが可能となる。したがって、微細パターンを有するデバイスをスループットよく製造することができる。
【図面の簡単な説明】
【０１０７】
【図１】本発明の第１の実施形態による露光装置の投影光学系内の構造を示す概要図である。
【図２】本発明の第２の実施形態による露光装置の投影光学系内の構造を示す概要図である。
【図３】本発明の第３の実施形態による露光装置の投影光学系内の構造を示す概要図である。
【図４】本発明の第３の実施形態の第１変形例による露光装置の投影光学系内の構造を示す概要図である。
【図５】本発明の第３の実施形態の第２変形例による露光装置の投影光学系内の構造を示す概要図である。
【図６】本発明の第３の実施形態の第３変形例による露光装置の投影光学系内の構造を示す概要図である。
【図７】本発明の第３の実施形態の第４変形例による露光装置の投影光学系内の構造を示す概要図である。
【図８】本発明の第４の実施形態による露光装置の投影光学系内の構造を示す概要図である。
【図９】本発明の第４の実施形態の第１変形例による露光装置の投影光学系内の構造を示す概要図である。
【図１０】本発明の第５の実施形態による露光装置の投影光学系内の構造を示す概要図である。
【図１１】本発明の第５の実施形態の第１変形例による露光装置の投影光学系内の構造を示す概要図である。
【図１２】本発明の第６の実施形態による露光装置の投影光学系内の構造を示す概要図である。
【図１３】本発明の第７の実施形態による露光装置の投影光学系内の構造を示す概要図である。
【図１４】本発明の第８の実施形態による露光装置の投影光学系内の構造を示す概要図である。
【図１５】本発明の第９の実施形態による露光装置の投影光学系内の構造を示す概要図である。
【図１６】本発明の半導体デバイス製造方法の実施形態の一例を示すフローチャートである。
【図１７】ＥＵＶ光を使用した露光装置の投影光学系の概要を示す図である。
【図１８】図１７に示すＥＵＶ光露光装置の、ウエハ近傍の構成を示す概要図である。
【符号の説明】
【０１０８】
１…露光光、２…ウエハ、３…レジスト、３７…投影光学系、１１１…マイクロ波照射器、１２１…レーザ光源、１３１、１３１１、１３１３…紫外線ランプ、１４１、１４３…放電洗浄用電極、１５１…水分または酸素吸着剤、１６１…ガス溜め込み式吸着板、１７１…ガス溜め込み式真空ポンプ、１８１…ゲッタ材、１９１…潮解性物質
【図１】
2006245254.tif 000003
【図２】
2006245254.tif 000004
【図３】
2006245254.tif 000005
【図４】
2006245254.tif 000006
【図５】
2006245254.tif 000007
【図６】
2006245254.tif 000008
【図７】
2006245254.tif 000009
【図８】
2006245254.tif 000010
【図９】
2006245254.tif 000011
【図１０】
2006245254.tif 000012
【図１１】
2006245254.tif 000013
【図１２】
2006245254.tif 000014
【図１３】
2006245254.tif 000015
【図１４】
2006245254.tif 000016
【図１５】
2006245254.tif 000017
【図１６】
2006245254.tif 000018
【図１７】
2006245254.tif 000019
【図１８】
2006245254.tif 000020